(57)【要約】【課題】隣合う２台の遊技機のメダル受皿を一体化させて、メダルを２人で融通し合って使ったり、メダルを隣の遊技機の受皿に簡単に移すことが出来るようにする。【解決手段】スロットマシン１０のメダル受皿３０は、メダル払出口２４を有する樋状基部３１と、樋状基部３１の左右に取付けられた側板３２〜３７と、払い出されたメダルを受容する受板４０から構成される。側板３２〜３７は蝶番４８によって樋状基部３１に取付けられ、開かれたときに樋状基部３１の前板４４、後板４３及び底板４５にそれぞれ連接して前板４４、後板４３及び底板４５をそれぞれ延長させる。側板３２〜３４と隣接するスロットマシン１０Ａの側板３５Ａ〜３７Ａを開くと、メダル受皿３０とメダル受皿３０Ａとが連接し一体化する。メダルが載置された受板４０を受板４０Ａに当接するまでスライド移動させると、メダルを受板４０Ａに簡単に移すことができる。【選択図】図３
2010000266.tif 000002
【特許請求の範囲】
【請求項１】
隣接して設置される複数台の遊技機からなる遊技機システムにおいて、
前記遊技機は遊技の結果によって払い出される遊技媒体を貯留する受皿を備え、
前記受皿を構成する部材の一部が変位して、隣接する遊技機の受皿が連接されて一体化し、共通の受皿を構成することを特徴とする遊技機システム。
【請求項２】
前記受皿は、
前記遊技媒体が払い出される遊技媒体払出口が設けられた後板と、後板と対向するように設けられた前板と、前板と後板の下部を繋ぐ底板と、から構成され、左右の両端に開口部を有する樋状基部と、
前記樋状基部の少なくとも一方の開口部の前板と後板と底板とにそれぞれに１つづつ設けられ、前記前板と後板と底板とをそれぞれ延伸する方向に前記開口部を開く開位置と、前記開口部を閉じる閉位置との間で回動自在な３枚の側板と、
前記樋状基部に載置された受板と、を備え、
前記隣接する２台の遊技機の受皿の互いに隣接する側の前記開口部が開放され、一方の受皿の開かれた前記３枚の側板の先端と、他方の受皿の樋状基部の開口部または開かれた３枚の側板の先端とが連接し、前記受板が前記樋状基部内を左右方向に移動可能となって、前記２台の遊技機の受皿が一体化されることを特徴とする請求項1記載の遊技機システム。
【請求項３】
前記受皿は、
前記遊技機の前面扉に上部が固定された後板と、後板と対向するように設けられた前板と、前板と後板の下部を繋ぐ底板と、から構成され、左右の両端に開口部を有する樋状基部と、
前記樋状基部の左右の開口部のそれぞれに設けられ、前記開口部を開く開位置と前記開口部を閉じる閉位置との間で回動自在な側板と、
前記樋状基部の外側を下方からくわえるように設けられ前記樋状基部又は前記前面扉に形成された被係合部と係合する係合部が形成された樋状の連結樋と、
を備え、
前記隣接する２台の遊技機に設けられた前記連結樋が、互いに接する方向に移動して連接するとともに、前記受皿の互いに隣接する側の前記側板が開位置となって前記開口が開放され、前記２台の遊技機の受皿が一体化されることを特徴とする請求項1記載の遊技機システム。
【発明の詳細な説明】
【技術分野】
【０００１】
本発明は、パチンコ球やメダル等の遊技媒体を受容する受皿を備えた遊技機が、予め決められた間隔で複数台が隣接して設置される遊技機システムに関するものである。
【背景技術】
【０００２】
パチンコ店などの遊技場に設置して使用されるパチンコ機やスロットマシン等の遊技機は、パチンコ球やメダル等の遊技媒体に一定の価値が与えられて、ゲームを行って獲得した遊技媒体を種々の景品に交換することができる。遊技機には、遊技媒体の供給に基づいて作動させるランプ装置や音声発生装置などの様々な各種駆動装置及びこれら駆動装置を制御する制御回路基板を含む制御回路装置を備えており、遊技者が遊技を行う際にこれらを適宜作動させることによって遊技を興趣に溢れたものとしている。
【０００３】
これらの遊技機には、当たりを出した時にパチンコ球やメダルが払い出される受皿が設けられている。最近の遊技機には、現金や専用のプリペイドカードによりパチンコ球やメダルを受皿に直接貸し出す貸出装置が設置されていることがある。例えば、下記特許文献１に示された貸出装置は、遊技用のメダルを貯留し、現金やプリペイドカードのポイントと引き替えにメダルを遊技機の前記受皿に払い出す。遊技者が連続して大当たりを出すと前記受皿は払い出されたパチンコ球やメダルで溢れてしまう。そこで、下記特許文献２では受皿を引き出し式に構成して受容容積を必要に応じて大きくすることが出きるようにした受皿が提案されている。
【特許文献１】特開２００３−２０５１６３号公報
【特許文献２】特開２００３−２７５３８７号公報
【発明の開示】
【発明が解決しようとする課題】
【０００４】
遊技者の多くは複数の遊技機を次々と取り換えて遊技を楽しむ。中には隣の遊技機に次々と移る者もいる。例えば、隣の遊技機に移る場合、受皿に溜まったパチンコ球やコインを移動させなければならないが、これらの移動は大変に手間の掛かる事であり、移動中に落としてしまうこともあるので、パチンコ球やコインを隣の遊技機に簡単に移動させられるようにすることが望まれている。また、２人で並んで遊技を楽しむ者もいる。この場合、獲得したパチンコ球やコインを２人で融通し合って使うため、受皿の共有化が望まれている。
【０００５】
本発明は、上記課題を解決するためになされたものであり、遊技機の受皿の一部を変位可能とすることで、隣合う２台の遊技機の受皿が共有化されるようにした遊技機システムを提案する。
【課題を解決するための手段】
【０００６】
上記目的を達成するために本発明の遊技機システムは、隣接して設置される複数台の遊技機からなり、前記遊技機は遊技の結果によって払い出される遊技媒体を貯留する受皿を備え、前記受皿を構成する部材の一部が変位して、隣接する遊技機の受皿が連接されて一体化し、共通の受皿を構成する。前記受皿は、前記遊技媒体が払い出されるメダル払出口が設けられた後板と、後板と対向するように設けられた前板と、前板と後板の下部を繋ぐ底板とから構成され左右の両端に開口部を有する樋状基部と、前記樋状基部の少なくとも一方の開口部の前板と後板と底板とにそれぞれに１つづつ設けられ、前記前板と後板と底板とをそれぞれ延伸する方向に前記開口部を開く開位置と前記開口部を閉じる閉位置との間で回動自在な３枚の側板と、前記樋状基部に載置された受板と、を備える。隣接する２台の遊技機の受皿は、互いに隣接する側の前記開口部が開放され、一方の受皿の開かれた前記３枚の側板の先端と他方の受皿の樋状基部の開口部または開かれた３枚の側板の先端とが連接し、前記受板が前記樋状基部内を左右方向に移動可能となって前記２台の遊技機の受皿が一体化される。あるいは、前記受皿は、前記樋状基部と、前記樋状基部の左右の開口部のそれぞれに設けられ前記開口部を開く開位置と前記開口部を閉じる閉位置との間で回動自在な側板と、前記樋状基部の外側に前記樋状基部を下方からくわえるように設けられ、前記後板の後面側または前記前面扉の前面側に左右方向に形成された溝と係合する凸部と前記前板の前面側にそれぞれ左右方向に形成された溝と係合する凸部とを有する樋状の連結樋と、を備えるようにし、２台の遊技機に設けられた連結樋が、互いに接する方向に移動して連接するとともに、前記受皿の互いに隣接する側の前記側板が開位置となって前記開口が開放され、前記２台の遊技機の受皿が一体化されるようにしても良い。
【発明の効果】
【０００７】
本発明によれば、隣り合う２台の遊技機の受皿を変形させて１つの受皿としてパチンコ球やメダルを２人で融通し合って使うことができる。また、隣り合う２台の遊技機の受皿を一時的に連通させて、パチンコ球やメダルを隣の遊技機に簡単に移すことができる。
【発明を実施するための最良の形態】
【０００８】
図１に示すように、本発明によるスロットマシン（遊技機）１０は、前面に開口を有する収納箱１１と、この収納箱１１の前面に設けられ前記開口を塞ぐ前面扉１２とを備え、前面扉１２は上扉１３と下扉１４とで構成される。収納箱１１の内部は上下２段に仕切られ、上段には外周面に複数種類の図柄１５が複数個配列された３つのリール１６が設けられている。図柄１５は前記上扉１３に設けられた表示窓１７を通して１リール当たり３個が表示される。また、表示窓１７の上方には遊技中に演出音を出力する一対のスピーカー１８が設けられている。
【０００９】
下扉１４には、回転する前記３つのリール１６をそれぞれ停止させるストップボタン２１の他に、遊技の開始に先立ってメダル（遊技媒体）を投入するメダル投入口２２、前記リール１６の回転を開始させて前記図柄１５の変動表示を行わせるスタートレバー２３、メダルをメダル受皿（受皿）３０に払い出すメダル払出口（遊技媒体払出口）２４などが設けられている。メダル投入口２２にメダルを投入するとスタートレバー２３の操作が有効化され、操作の有効化後にスタートレバー２３が押下されると当選役抽選が行われて複数種類の当選役のいずれか又はハズレが決定される。遊技の開始に先立って投入できるメダルの枚数は１〜３枚に限られているため、４枚目以降に投入されたメダルは、例えば５０枚を限度にクレジットされる。クレジット機能を用いていないときには、４枚目以降のメダルはメダル受皿３０に排出される。
【００１０】
図２に示すように、前記メダル受皿３０は、樋状基部３１と樋状基部３１の左右に形成された開口のそれぞれに設けられた側板３２〜３７と、樋状基部３１に載置される受板４０とから構成される。樋状基部３１は、前記メダル払出口２４が設けられた後板４３と、後板４３と対向するように設けられた前板４４と、前板４４と後板４３の下部を繋ぐ底板４５とによって樋状に形成されている。前記側板３２〜３７は、前記後板４３の右手側端部に蝶番４８によって回動自在に取付けられた右後側板３２と、前記前板４４の右手側端部に蝶番４８（図１参照）によって回動自在に取付けられた右前側板３３と、前記底板４５の右手側端部に蝶番４８によって回動自在に取付けられた右下側板３４と、前記後板４３の左手側端部に蝶番４８によって回動自在に取付けられた左後側板３５と、前記前板４４の左手側端部に蝶番４８によって回動自在に取付けられた左前側板３６と、前記底板４５の左手側端部に蝶番４８によって回動自在に取付けられた左下側板３７である。
【００１１】
前記受板４０の左右方向の長さは、各側板を閉じた状態で各側板のうち最も内側にある側板、例えば、右後側板３２と左前側板３６の間の距離（図２〜４参照）と等しい長さを最大とする。前記前板４４と後板４３の長さは等しく、底板４５はそれより右後側板３２と右前側板３３と左後側板３５と左前側板３６の厚さを合わせた分だけ長く形成されている。前板４４は後板４３に対して右後側板３２又は左前側板３６の厚さと等しい寸法だけ右にずれて形成されている。前記複数の側板は９０°開いて固定される。右前側板３３と右後側板３２は両開きするとそれぞれが前記蝶番を介して前板４４と後板４３とに連接し、右下側板３４は下方へ開いて底板４５に連接して、樋状基部３１を右手側へ延長させる。左後側板３５と左前側板３６、左下側板３７も同様に開くとそれぞれが後板４３と前板４４と前記底板４５とに連接し、樋状基部３１を左手側へ延長させる。
【００１２】
前記側板の回動先端側（反回動軸側）は連接部となる。連接部は前側又は後側の角部が角柱状に切り欠かれ厚さ方向に階段状に形成されている。連接の際に先に開かれる右前側板３３の連接部３３Ｇと左後側板３５の連接部３５Ｇは樋状となる内側が切り欠かれ、後から開かれる右後側板３２の連接部３２Ｇと左前側板３６の連接部３６Ｇは樋状となる外側が切り欠かれ、連接したときに凹凸形状が一致して、より連接度合いが密になるようになっている。右下側板３４と左下側板３７の連接部の形状は、平面であっても良いし、右後側板３２等のような階段状にしても良い。また、前記複数の連接部の形状は、階段状や平面に限るものではなく、斜面や上下方向に凹凸が繰り返されるスライドファスナーのような形状にしても良く、連接度合いが密になるようにするのが好ましい。
【００１３】
次に前記メダル受皿３０の作用について説明する。図３及び図４に示すように、スロットマシン１０で遊技を楽しんだ遊技者は、何らかの理由によりスロットマシン１０から隣接するスロットマシン１０Ａに移動する場合に、メダル受皿３０の右下側板３４と右前側板３３と右後側板３２を開くとともに、メダル受皿３０Ａの左下側板３７Ａと左後側板３５Ａと左前側板３６Ａを開く（（ア）→（イ））。右下側板３４の連接部３４Ｇ（図２参照）と左下側板３７Ａの連接部が当接し、右前側板３３の連接部３３Ｇと左前側板３６Ａの連接部が当接し、右後側板３２の連接部３２Ｇと左後側板３５Ａの連接部が当接して、樋状基部３１と樋状基部３１Ａとがこれら複数の側板を介して連接され、メダル受皿３０と３０Ａが一体化する（イ）。遊技者は、メダルが貯留された受板４０をメダル受皿３０Ａ側にスライド移動させる（ウ）。受板４０を受板４０Ａに接するまで寄せた後、受板４０に貯留されたメダルを受板４０Ａに移す（エ）。その後、受板４０を樋状基部３１に戻してから、左前側板３６Ａ、左後側板３５Ａ、右後側板３２、右前側板３３、右下側板３４、左下側板３７Ａの順に閉じる（オ）と、メダルの移動が完了する。
【００１４】
図５に示すように、遊技者がスロットマシン１０とスロットマシン１０Ａに２人で並んで遊技を楽しんでいる場合には、前述同様に片側の側板を開いてメダル受皿３０とメダル受皿３０Ａとを連接させ、一体となったメダル受皿の中央に双方の受板４０，４０Ａを寄せて連接させ、獲得したメダルを共有して遊技を楽しむこともできる。
【００１５】
図６及び図７に示すスロットマシン１０Ｂは、前記受板４０の縁に突条のリブ４１を設けた受板４２を用いている。図８に示すように、隣接したスロットマシンにメダルを移そうとする場合、突条のリブ４１があるためにメダルが受板４２からこぼれ難いという効果がある。また、例えば、遊戯媒体がパチンコ球の場合は、前記受板４０に比べて、より効果が大きい。
【００１６】
次に別の実施形態について説明するが、前記実施形態に対してメダル受皿の一部を異なる構成としたものであり、同一のものには同一の符号を付し、末尾のアルファベットによって区別をする。図９に示すように、スロットマシン１０Ｃに設けられたメダル受皿３０Ｃは、樋状基部３１Ｃの右手側の開口部は３枚の側板３２Ｃ，３３Ｃ，３４Ｃが設けられているが、左手側の開口部は軸３９によって底板４５Ｃに回動自在に取付けられた左下側板３７Ｃのみが設けられている。図１０に示すように、（ア）２台が並べられたスロットマシン１０Ｃの左側のメダル受皿を３０Ｃ、右側のメダル受皿を３０Ｄとし、メダル受皿３０Ｃに貯留されたメダルをメダル受皿３０Ｄに移動させるとき、（イ）メダル受皿３０Ｄの左下側板３７Ｄを１８０°回動させて下方に退避させ、その後、（ウ）メダルが貯留されたメダル受皿３０Ｃの側板３２Ｃ，３３Ｃ，３４Ｃを９０°開いて、それぞれの先端をメダル受皿３０Ｄの樋状基部３１Ｄの左側の開口部に当接させ、２つの受皿を一体化させる。受皿を一体化させた後は、メダルの載置された受板４２を移動させて、メダルをメダル受皿３０Ｄに移すことができる。あるいは、前述のように、２人で共有して使用することも可能である。
【００１７】
次に第３の実施形態について説明するが、前記実施形態に対してメダル受皿を異なる構成としたものであり、同一のものには同一の符号を付し、末尾のアルファベットによって区別をする。図１１に示すように、スロットマシン１０Ｅのメダル受皿３０Ｅは、前記下扉１４に後板４３Ｅの上部が固定された樋状基部３１Ｅの外側に、樋状基部３１Ｅを下方からくわえるように連結樋５０が設けられている。樋状基部３１Ｅの左右の開口部は、樋状基部３１Ｅの後板４３Ｅの右手側端部に回動自在に取付けられた右後側板３２Ｅと、後板４３Ｅの左手側端部に回動自在に取付けられた左後側板３５Ｅとによって塞がれている。
【００１８】
図１２に示すように、連結樋５０は、前板５１と後板５２と底板５３とによって形成され、前板５１の後面側と後板５２の後面側には、下扉１４側に向いて凸部（係合部）５４，５５が埋設されている。樋状基部３１Ｅの前板４４Ｅと下扉１４には、凸部５４，５５が係合し摺動可能な溝（被係合部）５６，５７がそれぞれに設けられている。図１３に示すように、樋状基部３１Ｅの後板４３Ｅの後面側に溝５８を設け、連結樋５０の後板５２の内側に凸部５９を設けるようにしても良い。
【００１９】
図１４に示すように、２台のスロットマシン１０Ｅのメダル受皿３０Ｅを連接する場合は、連結樋５０を互いに寄せ合って開口部同士を当接させ、その後、それぞれの樋状基部３１Ｅの連接する側の右後側板３２Ｅ及び左後側板３５Ｅを開く。連結樋５０による連接を行った後に側板を開放するので、例えば、図示したように、左側のスロットマシンの右後側板３２Ｅと右側のスロットマシンの左後側板３５Ｅの間に、メダルが落ちてしまうような隙間があったとしても、連結樋５０が連接されているので落ちることはない。
【００２０】
また、図１２又は図１３に示す凸部を溝に、溝を凸部に形成しても良く、凸状基部３１Ｅの前板４４Ｅの前面側又は後板４３Ｅの後面側又は下扉１４の前面側に凸部を設け、これらの凸部と係合する溝を連結樋５０に設けるようにしても良い。あるいは、連結樋５０の前板５１に溝を、後板５２に凸部を形成し、樋状基部３１Ｅの前板４４Ｅに凸部を、後板４３Ｅ又は下扉１４に溝を形成するようにしても良い。更に、前記凸部は前記溝と係合する突条リブであっても良い。尚、前記凸部と溝による係合箇所は１箇所のみであっても良い。
【００２１】
前記実施形態は、樋状基部にそれぞれの側板を取付ける方法として蝶番を用いたが、樋状基部の端面部と側板とに交互に軸支持部を設けて側板を樋状基部の端面部に軸支する方法を用いても良い。
【００２２】
前記実施形態は、遊技機の１つとしてスロットマシンを例に挙げて説明したが、スロットマシンに限るものではなく、他の態様の遊技機、例えば、パチンコ機に、本発明による受皿の構成を採用しても良い。
【図面の簡単な説明】
【００２３】
【図１】本発明によるスロットマシン（遊技機）の外観斜視図である。
【図２】本発明の主要部分であるメダル受皿（受皿）の側板を開いた状態を示す外観斜視図である。
【図３】隣接した２台のスロットマシンのメダル受皿を一体化させた状態を示す外観斜視図である。
【図４】メダルを移動させる動作を連続して説明する図である。
【図５】隣接した２台のスロットマシンのメダル受皿を一体化させたまま使用するときの状態を示す外観斜視図である。
【図６】周囲に縁の付いた受板を用いたメダル受皿を備えたスロットマシンの外観斜視図である。
【図７】周囲に縁の付いた受板を用いたメダル受皿の側板を開いた状態を示す外観斜視図である。
【図８】図６に示すスロットマシンでメダルを移動するときの状態を示す外観斜視図である。
【図９】別の実施形態のメダル受皿の外観斜視図である。
【図１０】図９におけるメダルを移動させる動作を連続して説明する図である。
【図１１】第３の実施形態のメダル受皿を備えたスロットマシンの外観斜視図である。
【図１２】図１１に示すメダル受皿の断面図である。
【図１３】図１１に示すメダル受皿の別の実施形態を示す断面図である。
【図１４】図１１に示すメダル受皿を一体化させたまま使用するときの状態を示す外観斜視図である。
【符号の説明】
【００２４】
１０，１０Ａ，１０Ｂ，１０Ｃ，１０Ｄ，１０Ｅ  スロットマシン（遊技機）
１２  前面扉
１３  上扉
１４  下扉（前面扉）
２６  メダル払出口
３０，３０Ａ，３０Ｂ，３０Ｃ，３０Ｄ，３０Ｅ  メダル受皿（受皿）
３１，３１Ａ，３１Ｂ，３１Ｃ，３１Ｄ，３１Ｅ  樋状基部
３２，３２Ｃ，３２Ｅ  右後側板
３２Ｇ，３３Ｇ，３４Ｇ，３５Ｇ  連接部
３３，３３Ｃ  右前側板
３４，３４Ｃ  右下側板
３５，３５Ａ，３５Ｃ，３５Ｅ  左後側板
３６，３６Ａ  左前側板
３７，３７Ａ，３７Ｃ，３７Ｄ  左下側板
３９  軸
４０，４０Ａ，４２  受板
４１  突条のリブ
４３，４３Ｅ  後板
４４，４４Ｅ  前板
４５  底板
４８  蝶番
５０  連結樋
５１  前板
５２  後板
５３  底板
５４  凸部
５６  溝
【図１】
2010000266.tif 000003
【図２】
2010000266.tif 000004
【図３】
2010000266.tif 000005
【図４】
2010000266.tif 000006
【図５】
2010000266.tif 000007
【図６】
2010000266.tif 000008
【図７】
2010000266.tif 000009
【図８】
2010000266.tif 000010
【図９】
2010000266.tif 000011
【図１０】
2010000266.tif 000012
【図１１】
2010000266.tif 000013
【図１２】
2010000266.tif 000014
【図１３】
2010000266.tif 000015
【図１４】
2010000266.tif 000016